(57)【特許請求の範囲】
【請求項１】
膨張弁（１４）と、
室外熱交換器（１３）と、
圧縮機（１０）と、
第１熱交換器（２１）と、前記第１熱交換器（２１）によって温度調整された空気が送られる内部空間（ＩＳ）を構成し所定の輻射率を有する繊維系材料で形成された輻射部（２２）と、前記第１熱交換器（２１）を通り前記輻射部（２２）の内部空間（ＩＳ）へと送られる空気の流れを生成する第１送風機（２３）とを有する輻射型室内機（２，６）と、
第２熱交換器（３１）と、前記第２熱交換器（３１）によって温度調整された空気を室内（ＲＳ）へと吹き出す吹出部（３５）と、前記第２熱交換器（３１）を通り前記吹出部（３５）から室内（ＲＳ）へと吹き出される空気の流れを生成する第２送風機（３３）とを有する対流型室内機（３，５）と、
前記第１送風機（２３）と、前記第２送風機（３３）とを制御する制御部（４）と、
を備え、
前記膨張弁（１４）と前記室外熱交換器（１３）と前記圧縮機（１０）と前記第１熱交換器（２１）と前記第２熱交換器（３１）とを含む冷媒回路において、前記第１熱交換器（２１）と前記第２熱交換器（３１）とは直列に設けられており、
前記制御部（４）は、前記第１送風機（２３）を駆動させ且つ前記第２送風機（３３）を停止させる輻射優先運転と、前記第２送風機（３３）を駆動させ且つ前記第１送風機（２３）を停止させる対流優先運転を切換可能である、
空気調和機（１００）。
【請求項２】
前記制御部（４）は、空気調和機（１００）の起動時に前記対流優先運転を実行する、
請求項１に記載の空気調和機（１００）。
【請求項３】
室内温度を検知する室内温度センサ（４１）と、
空気調和運転の設定温度を設定するための設定部（４４）と、
をさらに備え、
前記制御部（４）は、前記室内温度と前記設定温度との差が所定値以上の場合に前記対流優先運転を実行する、
請求項１または２に記載の空気調和機（１００）。
【請求項４】
前記制御部（４）は、前記室内温度と前記設定温度との差が所定値以下の場合に前記輻射優先運転を実行する、
請求項３に記載の空気調和機（１００）。
【請求項５】
前記制御部（４）は、空気調和機（１００）の起動後に所定時間経過した場合に前記輻射優先運転を実行する、
請求項１から３のいずれかに記載の空気調和機（１００）。
【請求項６】
前記制御部（４）に運転内容を指示するための指示装置（４４）をさらに備え、
前記制御部（４）は、前記指示装置（４４）からの指示に基づいて前記対流優先運転を実行する、
請求項１から５のいずれかの記載の空気調和機（１００）。
【請求項７】
前記制御部（４）に運転内容を指示するための指示装置（４４）をさらに備え、
前記制御部（４）は、前記指示装置（４４）からの指示に基づいて前記輻射優先運転を実行する、
請求項１から５のいずれかの記載の空気調和機（１００）。
【請求項８】
前記冷媒回路における冷媒の循環方向を切り換えて冷房運転と暖房運転とを切り換える切換機構（１１）をさらに備える、
請求項１から７のいずれかに記載の空気調和機（１００）。
【請求項９】
前記制御部（４）は、前記冷房運転時の冷媒の循環方向において除湿運転を実行可能であり、前記除湿運転時に前記輻射優先運転を実行する、
請求項８に記載の空気調和機（１００）。
【請求項１０】
前記第１熱交換器（２１）は、前記暖房運転時の冷媒の循環方向において前記第２熱交換器（３１）の上流に配置されており、
前記制御部（４）は、前記暖房運転において前記第１送風機（２３）と前記第２送風機（３３）とを駆動させるサーキュレーション運転を実行可能である、
請求項８または９に記載の空気調和機（１００）。
【請求項１１】
前記制御部（４）は、空気調和機（１００）の起動時から一定時間経過後に前記サーキュレーション運転を実行する、
請求項１０に記載の空気調和機（１００）。
【請求項１２】
前記制御部（４）は、定期的に前記サーキュレーション運転を実行する、
請求項１０または１１に記載の空気調和機（１００）。
【請求項１３】
天井面（ＣＬ）近傍の空気の温度を検知可能な天井面温度センサ（４５）をさらに備え、
前記制御部（４）は、前記天井面温度センサ（４５）によって検知された天井面（ＣＬ）近傍の空気の温度が所定値以上となった場合に前記サーキュレーション運転を実行する、
請求項１０から１２のいずれかに記載の空気調和機（１００）。
【請求項１４】
前記輻射型室内機（２）は、天井面（ＣＬ）に設置され、
前記対流型室内機（３）は、室内（ＲＳ）の側壁に設置される壁掛け型室内機である、
請求項１から１３のいずれかに記載の空気調和機（１００）。
【請求項１５】
前記輻射型室内機（２）は、天井面（ＣＬ）に設置され、
前記対流型室内機（５）は、室内（ＲＳ）の床面に設置される床置き型室内機である、
請求項１から１３のいずれかに記載の空気調和機（１００）。
【請求項１６】
前記輻射型室内機（６）は、室内（ＲＳ）の床面に設置される床置き型室内機であり、
前記対流型室内機（３）は、室内（ＲＳ）の側壁に設置される壁掛け型室内機である、
請求項１から１３のいずれかに記載の空気調和機（１００）。
【発明の詳細な説明】
【技術分野】
【０００１】
本発明は、空気調和機に関する。
【背景技術】
【０００２】
本願発明者は、輻射と穏やかな空気の吹き出しとによって室内の空気調和を行う輻射型室内機を案出している。この輻射型室内機は、熱交換器と、熱交換器によって温度調整された空気が送られる内部空間を構成し所定の輻射率を有する繊維系材料で形成された輻射部と、第１熱交換器を通り輻射部の内部空間へと送られる空気の流れを生成する第１送風機とを有する。この輻射型室内機では、熱交換器によって温度調整された空気が輻射部の内部空間に送られ繊維の隙間から穏やかに室内へと吹き出す。また、内部空間の空気によって輻射部自体の温度が調整され、輻射部の表面から輻射が生じる。このように、輻射部からの空気の吹き出しと輻射とによって、室内の空気調和が行われる。これにより、ドラフトによる不快感が抑えられた快適な空気調和を行うことができる（特許文献１参照）。
【特許文献１】特開２００４−２７１１７１号公報
【発明の開示】
【発明が解決しようとする課題】
【０００３】
しかし、上記のような輻射型室内機によって室内の空気調和が行われる場合、空気調和運転の起動時や冷暖房の負荷が大きいときには、室内の温度を迅速に所望の温度に到達させることが困難である。
【０００４】
本発明の課題は、ドラフトによる不快感を抑えることができ、且つ、室内の温度を迅速に所望の温度に到達させることができる空気調和機を提供することにある。
【課題を解決するための手段】
【０００５】
第１発明にかかる空気調和機は、膨張弁と、室外熱交換器と、圧縮機と、輻射型室内機と、対流型室内機と、制御部と、を備える。輻射型室内機は、第１熱交換器と、第１熱交換器によって温度調整された空気が送られる内部空間を構成し所定の輻射率を有する繊維系材料で形成された輻射部と、第１熱交換器を通り輻射部の内部空間へと送られる空気の流れを生成する第１送風機とを有する。対流型室内機は、第２熱交換器と、第２熱交換器によって温度調整された空気を室内へと吹き出す吹出部と、第２熱交換器を通り吹出部から室内へと吹き出される空気の流れを生成する第２送風機とを有する。制御部は、第１送風機と第２送風機とを制御する。そして、膨張弁と室外熱交換器と圧縮機と第１熱交換器と第２熱交換器とを含む冷媒回路において、第１熱交換器と第２熱交換器とは直列に設けられる。また、制御部は、第１送風機を駆動させ且つ第２送風機を停止させる輻射優先運転と、第２送風機を駆動させ且つ第１送風機を停止させる対流優先運転を切換可能である。
【０００６】
この空気調和機では、輻射型室内機によって、輻射と穏やかな空気の吹き出しとによって室内の空気調和を行うことができ、また、対流型室内機によって温度調整された空気を直接的に室内へと吹き出すことができる。このため、就寝時のようにドラフトによる不快感を抑えることが望まれる場合には輻射型室内機による空気調和を行い、速暖或いは速冷が望まれる場合には対流型室内機による空気調和を行うことができる。これにより、この空気調和機では、ドラフトによる不快感を抑えることができ、且つ、室内の温度を迅速に所望の温度に到達させることができる。
【０００７】
また、一般に、空気調和機によって室内の空気調和が行われる場合、暖かい空気は室内の上部に滞留し易く、また、冷たい空気は室内の下部に滞留しやすい。このため、暖かい空気を下方へと送り、冷たい空気を上方へと送る空気のサーキュレーションを確保して、偏りの少ない快適な温度分布の実現が望まれている。そこで、この空気調和機では、輻射型室内機と対流型室内機とを共に運転させることによって、空気のサーキュレーションを確保することができる。特に、第１熱交換器と第２熱交換器とが直列に配置されることによって、一方の室内機では冷房運転または暖房運転を行い、他方の室内機では送風のみの運転を行うことができる。もし、第１熱交換器と第２熱交換器とが並列に設けられている場合に同様の運転を行うためには、室内機のそれぞれに膨張弁が必要であり、また、配管数も増大するため、冷媒回路の構成が複雑化する。しかし、この空気調和機では、第１熱交換器と第２熱交換器とが直列に配置されることによって、簡易な構成で室内空気のサーキュレーションを確保することができる。
【０００８】
さらに、この空気調和機では、輻射優先運転において制御部は第１送風機を駆動させ且つ第２送風機を停止させる。これにより、輻射型室内機による空気調和が行われると共に対流型室内機からの吹き出しが停止し、ドラフトによる不快感を抑えることができる。また、対流優先運転においては、制御部は第２送風機を駆動させ且つ第１送風機を停止または駆動させる。これにより、対流型室内機から室内への直接的な空気の吹き出しが行われ、室内の温度を迅速に所望の温度に到達させることができる。
【０００９】
第２発明にかかる空気調和機は、第１発明の空気調和機であって、制御部は、空気調和機の起動時に対流優先運転を実行する。
【００１０】
この空気調和機では、空気調和機の起動時に対流優先運転が実行される。このため、この空気調和機では、起動時に室内の温度を迅速に所望の温度に到達させることができる。
【００１１】
第３発明にかかる空気調和機は、第１発明または第２発明の空気調和機であって、室内温度を検知する室内温度センサと、空気調和運転の設定温度を設定するための設定部とをさらに備える。そして、制御部は、室内温度と設定温度との差が所定値以上の場合に対流優先運転を実行する。
【００１２】
この空気調和機では、室内温度と設定温度との差が所定値以上の場合に、対流優先運転が実行される。このため、空調負荷の大きな場合に対流優先運転が行われ、室内の温度を迅速に所望の温度に到達させることができる。
【００１３】
第４発明にかかる空気調和機は、第３発明の空気調和機であって、制御部は、室内温度と設定温度との差が所定値以下の場合に輻射優先運転を実行する。
【００１４】
この空気調和機では、室内温度と設定温度との差が所定値以下の場合に、輻射優先運転が実行される。このため、空調負荷の小さい場合や、対流優先運転によって室内温度が設定温度に近づいた場合に、ドラフトによる不快感を抑えることができる。
【００１５】
第５発明にかかる空気調和機は、第１発明から第３発明のいずれかの空気調和機であって、制御部は、空気調和機の起動後に所定時間経過した場合に輻射優先運転を実行する。
【００１６】
この空気調和機では、空気調和機の起動後に所定時間が経過した場合に、輻射優先運転が実行される。このため、空気調和機の起動後、空調運転が安定した時に輻射優先運転を行うことができる。
【００１７】
第６発明にかかる空気調和機は、第１発明から第５発明のいずれかの空気調和機であって、制御部に運転内容を指示するための指示装置をさらに備える。そして、制御部は、指示装置からの指示に基づいて対流優先運転を実行する。
【００１８】
この空気調和機では、指示装置からの指示に基づいて対流優先運転が実行される。このため、室内の居住者等が指示装置を操作することによって、任意に対流優先運転を実行させることができる。
【００１９】
第７発明にかかる空気調和機は、第１発明から第５発明のいずれかの空気調和機であって、制御部に運転内容を指示するための指示装置をさらに備える。そして、制御部は、指示装置からの指示に基づいて輻射優先運転を実行する。
【００２０】
この空気調和機では、指示装置からの指示に基づいて輻射優先運転が実行される。このため、室内の居住者等が指示装置を操作することによって、任意に輻射優先運転を実行させることができる。
【００２１】
第８発明にかかる空気調和機は、第１発明から第７発明のいずれかの空気調和機であって、冷媒回路における冷媒の循環方向を切り換えて冷房運転と暖房運転とを切り換える切換機構をさらに備える。
【００２２】
この空気調和機では、切換機構によって冷房運転と暖房運転とを切り換えることができる。このため、冷房運転と暖房運転との両方において、輻射優先運転と対流優先運転とを行うことができる。
【００２３】
第９発明にかかる空気調和機は、第８発明の空気調和機であって、制御部は、冷房運転時の冷媒の循環方向において除湿運転を実行可能であり、除湿運転時に輻射優先運転を実行する。
【００２４】
この空気調和機では、除湿運転時に輻射優先運転が実行される。除湿運転時には急速な運転の必要性が小さいため、輻射優先運転を行うことによってドラフトによる不快感を抑えながら除湿運転を行うことができる。
【００２５】
第１０発明にかかる空気調和機は、第８発明または第９発明の空気調和機であって、第１熱交換器は、暖房運転時の冷媒の循環方向において第２熱交換器の上流に配置されている。そして、制御部は、暖房運転において第１送風機と第２送風機とを駆動させるサーキュレーション運転を実行可能である。
【００２６】
この空気調和機では、第１熱交換器は、暖房運転時の冷媒の循環方向において第２熱交換器の上流に配置されており、また、制御部は、暖房運転において第１送風機と第２送風機とを駆動させるサーキュレーション運転を実行可能である。このため、サーキュレーション運転時には、第１熱交換器において冷媒と空気との熱交換が行われ、輻射型室内機による暖房が行われる。また、第２熱交換器を流れる冷媒は第１熱交換器によって熱交換が行われた後の冷媒であるため、第２熱交換器では空気との熱交換が十分には行われない。このため、対流型室内機からは温度の高くない空気が吹き出されて送風運転が行われる。これにより、空気のサーキュレーションが確保され、偏りの少ない快適な温度分布を実現することができる。
【００２７】
第１１発明にかかる空気調和機は、第１０発明の空気調和機であって、制御部は、空気調和機の起動時から一定時間経過後にサーキュレーション運転を実行する。
【００２８】
この空気調和機では、起動時から一定時間経過後にサーキュレーション運転が実行される。このため、空気調和機の起動後に温度分布に偏りが生じてきた可能性の高いときにサーキュレーション運転が行われ、温度分布の偏りを低減させることができる。
【００２９】
第１２発明にかかる空気調和機は、第１０発明または第１１発明の空気調和機であって、制御部は、定期的にサーキュレーション運転を実行する。
【００３０】
この空気調和機では、定期的にサーキュレーション運転が実行される。このため、温度分布に偏りが生じてきた可能性の高いときにサーキュレーション運転が行われ、温度分布の偏りを低減させることができる。
【００３１】
第１３発明にかかる空気調和機は、第１０発明から第１２発明のいずれかの空気調和機であって、天井面近傍の空気の温度を検知可能な天井面温度センサをさらに備える。そして、制御部は、天井面温度センサによって検知された天井面近傍の空気の温度が所定値以上となった場合にサーキュレーション運転を実行する。
【００３２】
この空気調和機では、天井面温度センサによって検知された天井面近傍の空気の温度が所定値以上となった場合にサーキュレーション運転が実行される。このため、暖房運転において、暖かい空気が室内の天井面近傍に滞留して室内の上部ほど温度が高くなり、この室内上部の温度が所定値以上となった状態において、サーキュレーション運転が行われる。これにより、暖房運転時の温度分布の偏りの発生をより精度よく検知して温度分布の偏りを低減することができる。
【００３３】
第１４発明にかかる空気調和機は、第１発明から第１３発明のいずれかの空気調和機であって、輻射型室内機は天井面に設置される。また、対流型室内機は、室内の側壁に設置される壁掛け型室内機である。
【００３４】
この空気調和機では、輻射型室内機は天井面に設置され、対流型室内機は、室内の側壁に設置される壁掛け型室内機である。このため、輻射型室内機による天井面からのドラフトによる不快感が抑えられた空気調和が可能であると共に、速暖または速冷が必要な場合は、対流型室内機による側壁からの空気の吹き出しによる迅速な空気調和が可能である。
【００３５】
第１５発明にかかる空気調和機は、第１発明から第１３発明のいずれかの空気調和機であって、輻射型室内機は、天井面に設置される。また、対流型室内機は、室内の床面に設置される床置き型室内機である。
【００３６】
この空気調和機では、輻射型室内機は天井面に設置され、対流型室内機は室内の床面に設置される床置き型室内機である。このため、輻射型室内機による天井面からのドラフトによる不快感が抑えられた空気調和が可能であると共に、速暖または速冷が必要な場合は、対流型室内機による床面からの空気の吹き出しによる迅速な空気調和が可能である。また、対流型室内機が輻射型室内機よりも低い位置に設置されることにより、空気のサーキュレーションを容易に確保することができる。この場合、特に暖房時において室内を足下から容易に暖めることができる。
【００３７】
第１６発明にかかる空気調和機は、第１発明から第１３発明のいずれかの空気調和機であって、輻射型室内機は、室内の床面に設置される床置き型室内機である。また、対流型室内機は、室内の側壁に設置される壁掛け型室内機である。
【００３８】
この空気調和機では、輻射型室内機は、室内の床面に設置される床置き型室内機であり、対流型室内機は、室内の側壁に設置される壁掛け型室内機である。このため、輻射型室内機を床面に設置し、対流型室内機を輻射型室内機よりも高い位置に設置することにより、空気のサーキュレーションを容易に確保することができる。
【発明の効果】
【００３９】
第１発明にかかる空気調和機では、ドラフトによる不快感を抑えることができ、且つ、室内の温度を迅速に所望の温度に到達させることができる。また、この空気調和機では、輻射型室内機と対流型室内機とを共に運転させることによって、空気のサーキュレーションを確保することができる。特に、この空気調和機では、第１熱交換器と第２熱交換器とが直列に配置されることによって、簡易な構成で室内空気のサーキュレーションを確保することができる。
【００４０】
第２発明にかかる空気調和機では、空気調和機の起動時に対流優先運転が実行される。このため、この空気調和機では、起動時に室内の温度を迅速に所望の温度に到達させることができる。
【００４１】
第３発明にかかる空気調和機では、室内温度と設定温度との差が所定値以上の場合に、対流優先運転が実行される。このため、空調負荷の大きな場合に対流優先運転が行われ、室内の温度を迅速に所望の温度に到達させることができる。
【００４２】
第４発明にかかる空気調和機では、室内温度と設定温度との差が所定値以下の場合に、輻射優先運転が実行される。このため、空調負荷の小さい場合や、対流優先運転によって室内温度が設定温度に近づいた場合に、ドラフトによる不快感を抑えることができる。
【００４３】
第５発明にかかる空気調和機では、空気調和機の起動後に所定時間が経過した場合に、輻射優先運転が実行される。このため、空気調和機の起動後、空調運転が安定した時に輻射優先運転を行うことができる。
【００４４】
第６発明にかかる空気調和機では、指示装置からの指示に基づいて対流優先運転が実行される。このため、室内の居住者等が指示装置を操作することによって、任意に対流優先運転を実行させることができる。
【００４５】
第７発明にかかる空気調和機では、指示装置からの指示に基づいて輻射優先運転が実行される。このため、室内の居住者等が指示装置を操作することによって、任意に輻射優先運転を実行させることができる。
【００４６】
第８発明にかかる空気調和機では、切換機構によって冷房運転と暖房運転とを切り換えることができる。このため、冷房運転と暖房運転との両方において、輻射優先運転と対流優先運転とを行うことができる。
【００４７】
第９発明にかかる空気調和機では、除湿運転時に輻射優先運転が実行される。除湿運転時には急速な運転の必要性が小さいため、輻射優先運転を行うことによってドラフトによる不快感を抑えながら除湿運転を行うことができる。
【００４８】
第１０発明にかかる空気調和機では、サーキュレーション運転時には、第１熱交換器において冷媒と空気との熱交換が行われ、輻射型室内機による暖房が行われる。また、第２熱交換器では空気との熱交換が十分には行われず、対流型室内機からは温度の高くない空気が吹き出されて送風運転が行われる。これにより、空気のサーキュレーションが確保され、偏りの少ない快適な温度分布を実現することができる。
【００４９】
第１１発明にかかる空気調和機では、空気調和機の起動後に温度分布に偏りが生じてきた可能性の高いときにサーキュレーション運転が行われ、温度分布の偏りを低減させることができる。
【００５０】
第１２発明にかかる空気調和機では、温度分布に偏りが生じてきた可能性の高いときにサーキュレーション運転が行われ、温度分布の偏りを低減させることができる。
【００５１】
第１３発明にかかる空気調和機では、暖房運転時の温度分布の偏りの発生をより精度よく検知して温度分布の偏りを低減することができる。
【００５２】
第１４発明にかかる空気調和機では、輻射型室内機による天井面からのドラフトによる不快感が抑えられた空気調和が可能であると共に、速暖または速冷が必要な場合は、対流型室内機による側壁からの空気の吹き出しによる迅速な空気調和が可能である。
【００５３】
第１５発明にかかる空気調和機では、輻射型室内機による天井面からのドラフトによる不快感が抑えられた空気調和が可能であると共に、速暖または速冷が必要な場合は、対流型室内機による床面からの空気の吹き出しによる迅速な空気調和が可能である。また、対流型室内機が輻射型室内機よりも低い位置に設置されることにより、空気のサーキュレーションを容易に確保することができる。この場合、特に暖房時において室内を足下から容易に暖めることができる。
【００５４】
第１６発明にかかる空気調和機では、輻射型室内機を床面に設置し、対流型室内機を輻射型室内機よりも高い位置に設置することにより、空気のサーキュレーションを容易に確保することができる。
【発明を実施するための最良の形態】
【００５５】
本発明の第１実施形態に係る空気調和機１００の冷媒回路図を図１に示す。この空気調和機１００は、室外機１と輻射型室内機２と対流型室内機３とを備えている。
【００５６】
〈室外機の構成〉
室外機１には、圧縮機１０と、圧縮機１０の吐出側に接続される四路切換弁１１（切換機構）と、圧縮機１０の吸入側に接続されるアキュムレータ１２と、四路切換弁１１に接続された室外熱交換器１３と、室外熱交換器１３に接続された電動膨張弁１４（膨張弁）とが設けられている。電動膨張弁１４は、冷媒配管８１を介して後述する第２室内熱交換器３１の一端と接続される。また、四路切換弁１１は、冷媒配管８２を介して第１室内熱交換器２１の一端と接続されている。また、室外機１には、室外熱交換器１３での熱交換後の空気を外部に排出するための室外送風機１５が設けられている。この室外送風機１５は、室外ファン１６と、室外ファン１６を回転駆動する室外ファンモータ１７とを有している。
【００５７】
〈輻射型室内機の構成〉
輻射型室内機２は、図２に示すように、天井面ＣＬに設置されており、輻射と穏やかな空気の吹き出しとによってドラフトによる不快感が抑えられた冷暖運転、暖房運転、除湿運転等の空気調和運転を行うことができる。輻射型室内機２は、図１および図３に示すように、温度調整ユニット２０と、輻射パネル２２（輻射部）とを有する。
【００５８】
温度調整ユニット２０は、図３に示すように、ビルトイン型の室内機であり、室内ＲＳから取り込まれた空気の温度調整または湿度調整を行い、温度調整または湿度調整された空気を輻射パネル２２が構成する内部空間ＩＳへと送る装置である。温度調整ユニット２０は、天井裏ＣＳに配置されており、吊りボルト９９等によって天井裏ＣＳの梁に固定されている。温度調整ユニット２０は、図１に示すように、第１室内熱交換器２１（第１熱交換器）と、第１送風機２３と、第１室内熱交換器２１と第１送風機２３とを収容する温度調整ユニットケーシング２４（図３参照）とを有する。
【００５９】
第１室内熱交換器２１は、冷媒と空気との間で熱交換を行う。温度調整ユニット２０は、天井面ＣＬにおいて輻射パネル２２から離れた位置に配置された吸込口２５（図２参照）にダクト２６（図３参照）を介して接続されており、吸込口２５から吸い込まれた室内ＲＳの空気がダクト２６を通って温度調整ユニット２０の内部に取り込まれる。第１室内熱交換器２１は、この取り込まれた空気と冷媒との間で熱交換を行い、空気の温度調整または湿度調整を行う。
【００６０】
第１送風機２３は、シロッコファンなどの遠心送風機であり、吸込口２５から吸い込まれ第１室内熱交換器２１を通り輻射パネル２２の内部空間ＩＳへと送られる空気の流れを生成する。室内ＲＳから温度調整ユニット２０内に取り込まれた空気は、第１室内熱交換器２１を通った後、吹出口２７を介して輻射パネル２２の内部空間ＩＳへと送られる。
【００６１】
温度調整ユニットケーシング２４は、天井裏ＣＳに配置されており、温度調整された空気が吹き出される吹出口２７を有する。吹出口２７は、天井面ＣＬに穿設された開口９８を通って輻射パネル２２の内部空間ＩＳと連通しており、第１室内熱交換器２１で温度調整または除湿された空気はこの吹出口２７を通って輻射パネル２２の内部空間ＩＳへと送られる。
【００６２】
輻射パネル２２は、第１室内熱交換器２１によって温度調整又は湿度調整された空気が送られる内部空間ＩＳを構成し、所定の輻射率を有する繊維系材料で形成されている。輻射パネル２２は、天井面ＣＬに枠状に固定された支持フレーム２８に取り付けられることによって、天井面ＣＬに設けられる。輻射パネル２２は、支持フレーム２８と、天井面ＣＬに設けられた断熱シート２９と共に内部空間ＩＳを構成する。輻射パネル２２は、空気が透過する布等の繊維系材料によって形成されている。繊維系材料としては織布が望ましいが不織布や他の繊維系材料であってもよい。また、輻射パネル２２は、厚みの小さい平坦な形状を有している。輻射パネル２２によって構成される内部空間ＩＳには、温度調整ユニット２０から温度調整された空気が送られることによって、大気圧より大きな圧力が生じる。また、輻射パネル２２を形成する繊維系材料は、柔軟且つ空気が透過可能であると共に約０．９の輻射率を有する。このため、内部空間ＩＳに送られた空気は、輻射パネル２２の繊維の目の隙間から穏やかに室内ＲＳへと吹出される。また、内部空間ＩＳに送られた空気によって輻射パネル２２の温度が調整されることにより、輻射パネル２２から輻射が生じる。これにより、穏やかな空気の吹出しと輻射とによって室内ＲＳの温度調整を行うことができる。なお、繊維系材料は伸縮性を有している。輻射パネル２２は、平坦な薄型の板状の外形を呈しており、下方の室内ＲＳに対して長方形の投影形状を有している。輻射パネル２２は、例えば、室内ＲＳに配置される寝具を平面的に覆う程度の大きさを有している。
【００６３】
〈対流型室内機の構成〉
対流型室内機３は、図２に示すように、室内ＲＳの側壁の上部に取り付けられる壁掛け型室内機であり、温度調整された空気を直接的に室内ＲＳへと吹き出すことによって室内ＲＳの空気調和を行う。この対流型室内機３は、室内機ケーシング３２（図４参照）、第２室内熱交換器３１（第２熱交換器）、第２送風機３３を有する。
【００６４】
室内機ケーシング３２は、水平方向に長い長方形形状を有しており、図４に示すように、第２室内熱交換器３１、第２送風機３３等を収容する。室内機ケーシング３２には、吸込口３４および吹出口３５（吹出部）が設けられている。吸込口３４は、室内機ケーシング３２内へと取り込まれる空気が通る開口であり、室内機ケーシング３２の上面や正面に設けられる。吹出口３５は、室内ＲＳへと吹き出される空気が通る開口であり、室内機ケーシング３２の下面や正面下部に設けられる。また、吹出口３５には、吹き出される空気を案内するフラップ３６が設けられる。
【００６５】
第２室内熱交換器３１は、吸込口３４から吸い込まれた室内ＲＳの空気と冷媒との間で熱交換を行い、空気の温度調整を行う。第２室内熱交換器３１は、冷媒回路において、一端が電動膨張弁１４に繋がる冷媒配管８１と接続され、他端が第１室内熱交換器２１に繋がる冷媒配管８３と接続されている。これにより、第１室内熱交換器２１と第２室内熱交換器３１とは、冷媒回路において直列に設けられている。また、第１室内熱交換器２１は、暖房運転時の冷媒の循環方向（実線矢印Ａ１参照）において第２室内熱交換器３１の上流に配置されており、暖房運転時には、冷媒は、まず第１室内熱交換器２１を通った後に第２室内熱交換器３１を通る。言い換えれば、第１室内熱交換器２１は、冷房運転時の冷媒の循環方向（波線矢印Ａ２参照）において第２室内熱交換器３１の下流に配置されており、冷房運転時には、冷媒は、まず第２室内熱交換器３１を通った後に第１室内熱交換器２１を通る。
【００６６】
第２送風機３３は、長細い円筒形状に構成され中心軸が水平方向に平行になるように配置されたクロスフローファン３７と、ファンモータ３８とを有する。クロスフローファン３７の周面には羽根が設けられており、クロスフローファン３７が中心軸周りに回転することにより、空気流が生成される。この空気流は、室内機ケーシング３２の吸込口３４から取り入れられ第２室内熱交換器３１を通り吹出口３５から室内ＲＳへと吹き出される空気の流れである。クロスフローファン３７は、ファンモータ３８によって中心軸周りに回転駆動される。
【００６７】
〈制御部〉
この空気調和機１００は、図５に示す制御部４を備えている。制御部４は、室外機１、輻射型室内機２および対流型室内機３に分散して配置されており、圧縮機１０、電動膨張弁１４、四路切換弁１１、室外送風機１５、第１送風機２３および第２送風機３３を制御することにより、空気調和機１００の運転の制御を行う。また、制御部４は、室内温度を検知する室内温度センサ４１、吸込口２５から吸い込まれる空気の温度を検知する吸込空気温度センサ４５、第１室内熱交換器２１の温度を検知する第１熱交温度センサ４２や第２室内熱交換器３１の温度を検知する第２熱交温度センサ４３などの各種のセンサと接続されており、各センサからの情報に基づいて制御を行うことができる。
【００６８】
また、制御部４は、無線又は有線によってリモコン装置４４（設定部、指示装置）と通信可能であり、居住者等はリモコン装置４４を操作することによって各種の指示を制御部４へと送信することができる。リモコン装置４４からの指示内容としては、電源のオン・オフや、冷房運転や暖房運転の設定温度および風量や、暖房運転、冷房運転、除湿運転などの空気調和機１００の運転内容の指示などがある。
【００６９】
制御部４は、四路切換弁１１を制御することによって、冷媒回路における冷媒の循環方向を切り換えて暖房運転と冷房運転とを切り換えることができる。以下、暖房運転時の制御と、冷房運転時の制御と、除湿運転時の制御について説明する。
【００７０】
〔暖房運転時の制御〕
暖房運転時には、四路切換弁１１が図１の実線で示す状態にされ、冷媒が実線矢印Ａ１の方向に冷媒回路を流れる。この冷媒回路の流れでは、圧縮機１０から吐出された冷媒は、冷媒配管８２を流れ、輻射型室内機２の第１室内熱交換器２１を流れた後、冷媒配管８３を通り、対流型室内機３の第２室内熱交換器３１を流れる。第２室内熱交換器３１から流出した冷媒は、冷媒配管８１を通り、電動膨張弁１４を通った後、室熱交換器１３を流れ、その後、圧縮機１０へと吸入される。ここで、制御部４は、輻射優先運転、対流優先運転およびサーキュレーション運転のうちいずれかの運転を選択的に行うことができる。
【００７１】
（輻射優先運転）
輻射優先運転は、輻射型室内機２による輻射と穏やかな空気の吹き出しとによる空気調和を優先的に行い、且つ、対流型室内機３による空気調和を停止させる運転である。このとき、制御部４は、第１送風機２３を駆動させ、且つ、第２送風機３３を停止させる。なお、この場合の「停止」とは、第２送風機３３を完全に停止させるのではなく、室内ＲＳの居住者がドラフトを感じない程度に弱く駆動させる場合を含む。
【００７２】
この輻射優先運転が行われている場合、圧縮機１０から吐出された冷媒は、輻射型室内機２の第１室内熱交換器２１において凝縮し、室内ＲＳへ吹き出される空気に放熱する。第１室内熱交換器２１において凝縮した冷媒は、過冷却状態となって第２室内熱交換器３１へと流れるが、第２送風機３３は停止しているため、空気との間で熱交換は行われずに第２室内熱交換器３１を通過する。
【００７３】
この輻射優先運転では、輻射パネル２２からの熱輻射が生じて下方にいる居住者を暖める。また、輻射パネル２２の繊維の隙間から暖かい空気が下方の室内ＲＳに向けて穏やかに吹き出されることによっても室内ＲＳが暖房される。
【００７４】
なお、この輻射優先運転は、室内温度と設定温度との差が所定値以下の場合に実行される。また、リモコン装置４４からの指示があった場合も輻射優先運転が実行される。
【００７５】
（対流優先運転）
対流優先運転は、対流型室内機３による室内ＲＳへの直接的な空気の吹き出しによる空気調和を優先的に行い、且つ、輻射型室内機２による空気調和を停止させる運転である。このとき、制御部４は、第２送風機３３を駆動させ、且つ、第１送風機２３を停止させる。なお、この場合の「停止」とは、第１送風機２３を完全に停止させるのではなく、室内ＲＳの温度調整に大きな影響を与えない程度に極弱く駆動させる場合を含む。
【００７６】
この対流優先運転が行われている場合、圧縮機１０から吐出された冷媒は、輻射型室内機２の第１室内熱交換器２１を流れるが、第１送風機２３は停止しているため、空気との間で熱交換は行われずに第１室内熱交換器２１を通過する。第１室内熱交換器２１を通過した冷媒は、ガス状態で第２室内熱交換器３１に流入して第２室内熱交換器３１において凝縮する。このとき、冷媒は、室内ＲＳへ吹き出される空気に放熱する。第２室内熱交換器３１において凝縮した冷媒は、過冷却状態となって電動膨張弁１４へと送られる。
【００７７】
この対流優先運転では、対流型室内機３の吹出口３５から暖かい空気が室内ＲＳへ吹き出されることによって室内ＲＳの暖房が行われる。このとき、フラップ３６によって空気が下方へと案内されることによって、対流型室内機３の吹出口３５から下方へと暖かい空気が吹き下ろされる。これにより、室内ＲＳを足下から暖めることができる。
【００７８】
なお、この対流優先運転は、空気調和機１００の起動時や室内温度と設定温度との差が所定値以上の場合に実行される。また、リモコン装置４４からの指示があった場合も輻射優先運転が実行される。
【００７９】
（サーキュレーション運転）
サーキュレーション運転は、輻射型室内機２による空気調和を行い、且つ、対流型室内機３による送風を行う運転である。このとき、制御部４は、第１送風機２３と第２送風機３３とを駆動させる。
【００８０】
このサーキュレーション運転が行われている間、圧縮機１０から吐出された空気は、まず第１室内熱交換器２１において凝縮し、このとき室内ＲＳへと吹き出される空気に放熱する。そして、冷媒は、第１室内熱交換器２１から第２室内熱交換器３１へと流れる。対流型室内機３では第２送風機３３が駆動しているが、冷媒は過冷却状態となっているために第２室内熱交換器３１では十分な熱交換は行われない。このため、対流型室内機３では、室内ＲＳから対流型室内機３に取り込まれた空気が殆ど温度調整されることなく室内ＲＳへと吹き出される送風運転が行われる。
【００８１】
このサーキュレーション運転では、輻射パネル２２からの熱輻射が生じて下方にいる居住者を暖める。また、輻射パネル２２の繊維の隙間から暖かい空気が下方の室内ＲＳに向けて穏やかに吹き出されることによっても室内ＲＳが暖房される。さらに、対流型室内機３の吹出口３５から下方へ向けて空気が吹き出されることによって、室内ＲＳの上部に対流していた暖かい空気が室内ＲＳの下部へと流れ、再び上昇する。これにより、室内ＲＳの上部および下部の間を循環する空気の流れが生成される。
【００８２】
なお、このサーキュレーション運転は、空気調和機１００の起動から所定時間経過後に実行され、その後、定期的に行われる。サーキュレーション運転は、所定時間、継続して行われた後に停止する。また、サーキュレーション運転は、リモコン装置４４からの指示があった場合にも実行される。
【００８３】
〔冷房運転時の制御〕
冷房運転時には、四路切換弁１１が図１の波線で示す状態にされ、冷媒が波線矢印Ａ２の方向に冷媒回路を流れる。この冷媒回路の流れでは、圧縮機１０から吐出された冷媒は、まず室外熱交換器１３を流れた後、電動膨張弁１４で膨張する。膨張した冷媒は、冷媒配管８１を通り、対流型室内機３の第２室内熱交換器３１を流れる。第２室内熱交換器３１から流出した冷媒は、冷媒配管８３を通り、第１室内熱交換器２１を流れた後、冷媒配管８２を通って圧縮機１０へと吸入される。ここで、制御部４は、輻射優先運転および対流優先運転のうちいずれかの運転を選択的に行うことができる。輻射優先運転および対流優先運転の具体的な内容については上記の暖房運転の場合と同様である。
【００８４】
輻射優先運転では、輻射パネル２２からの冷輻射が生じて下方にいる居住者を冷却する。また、輻射パネル２２の繊維の隙間から冷たい空気が下方の室内ＲＳに向けて穏やかに吹き出されることによっても室内ＲＳが冷房される。輻射パネル２２から吹き出された空気は室温より温度が低いため徐々に下降し、室内ＲＳ全体を偏り少なく冷房することができる。
【００８５】
対流優先運転では、対流型室内機３の吹出口３５から冷たい空気が室内ＲＳへ吹き出されることによって室内ＲＳの冷房が行われる。このとき、フラップ３６によって空気が横方向へと案内されることによって、対流型室内機３の吹出口３５から横方向へと冷たい空気が吹き出される。対流型室内機３の吹出口３５から吹き出された空気は室温より温度が低いため下降し、室内ＲＳ全体を偏り少なく冷房することができる。
【００８６】
〔除湿運転時の制御〕
除湿運転時には、四路切換弁１１が図１の波線で示す状態にされ、冷媒が波線矢印Ａ２の方向に冷媒回路を流れる。これにより、冷媒は冷房運転時と同様にして冷媒回路を流れる。このとき、制御部４は輻射優先運転を実行する。すなわち、制御部４は、第１送風機２３を駆動し、且つ、第２送風機３３を停止させる。また、制御部４は、第１室内熱交換器２１を低温として第１送風機２３による風量を冷房運転時よりも低減させる。これにより、除湿された空気が輻射型室内機２から室内ＲＳへと穏やかに吹き出される。
【００８７】
〈特徴〉
（１）
この空気調和機１００では、冷房運転時および暖房運転時において、空気調和機１００の運転の起動時や冷暖房負荷が大きい時に対流優先運転を行うことによって、温度調整された空気が対流型室内機３から室内ＲＳへと吹き出される。この対流型室内機３からの空気の吹き出しの風量は、輻射型室内機２からの空気の吹き出しと比べて大きいため、室内ＲＳを迅速に冷房または暖房することができる。また、対流型室内機３によって室内ＲＳを迅速に冷房または暖房した後に輻射優先運転に切り換えることによって、輻射型室内機２による空気調和のみによっても目標温度の維持が容易となる。
【００８８】
（２）
この空気調和機１００では、冷房運転時および暖房運転時において、冷暖房負荷が小さい時や、対流優先運転後の安定時に、輻射優先運転が行われる。また、除湿運転時にも輻射優先運転が行われる。これにより、快適な室内温度を維持し、且つ、ドラフトによる不快感が抑えられた空気調和を行うことができる。
【００８９】
（３）
この空気調和機１００では、暖房運転時にサーキュレーション運転を行うことによって、室内ＲＳの空気が攪拌され、好適な空気のサーキュレーションを確保することができる。特に、対流型室内機３のフラップ３６を下方に向けて暖かい空気を下方へ吹き下ろすことによって、足下から暖まる快適な温度分布を実現することができる。
【００９０】
また、サーキュレーション運転は、空気調和機１００の起動後に所定時間が経過した後に行われ、その後、定期的に行われる。このため、室内ＲＳの温度分布に偏りが生じる度に、その都度、温度分布の偏りを解消することができる。
【００９１】
（４）
この空気調和機１００では、上記のように制御部４によって対流優先運転、輻射優先運転、サーキュレーション運転が自動的に切り換えられる。これにより、輻射型室内機２による空気調和と、対流型室内機３による空気調和とを適切に使い分けることができる。
【００９２】
また、対流優先運転、輻射優先運転、サーキュレーション運転の切換は、リモコン装置４４による操作によっても可能であるため、居住者の生活シーンやニーズに合わせて輻射型室内機２による空気調和と、対流型室内機３による空気調和とを使用者の意志によって適宜使い分けることができる。
【００９３】
（５）
この空気調和機１００では、第１室内熱交換器２１と第２室内熱交換器３１とが冷媒回路において直列に設けられている。このため、対流型室内機３と輻射型室内機２との一方のみによって空気調和運転を行うと共に他方を停止させることが必要な対流優先運転と輻射優先運転とを簡易な構成で実行することができる。もし、第１室内熱交換器２１と第２室内熱交換器３１とが並列に設けられると、第１室内熱交換器２１と第２室内熱交換器３１とのそれぞれに対応して膨張弁が別途必要となり、また、熱交換器と膨張弁とを繋ぐ冷媒配管や各熱交換器に分岐する冷媒配管も必要となり、冷媒回路の構成が複雑になる。しかし、この空気調和機１００では、上記のように第１室内熱交換器２１と第２室内熱交換器３１とが直列に設けられることによって、冷媒回路を簡易な構成とすることができる。
【００９４】
また、この空気調和機１００では、暖房運転時の冷媒流れにおいて、第１室内熱交換器２１が第２室内熱交換器３１の上流に位置している。このため、暖房運転時のサーキュレーション運転において、第２室内熱交換器３１よりも先に第１室内熱交換器２１において冷媒と空気との熱交換が行われて冷媒が凝縮する。このため、輻射型室内機２によって空気調和を行うと共に対流型室内機３で送風を行うサーキュレーション運転を簡易な構成で行うことができる。
【００９５】
〈他の実施形態〉
（１）
上記の実施形態では、対流型室内機３は、室内ＲＳの側壁に設置される壁掛け型室内ＲＳ機であるが、図６に示すように、室内ＲＳの床面に設置される床置き型の対流型室内機５が備えられてもよい。この場合、暖かい空気が対流型室内機５から吹き出されることによって、室内ＲＳを足下から暖めることができ、特に暖房運転時の温度分布をより快適なものにすることができる。
【００９６】
（２）
上記の実施形態では、輻射型室内機２は、天井面ＣＬに配置されているが、図７に示すように、室内ＲＳの床面に設置される床置き型の輻射型室内機６が備えられてもよい。この場合、輻射型室内機６の輻射パネルは室内ＲＳの側壁下部に平行に配置される。この輻射型室内機６によって熱輻射および暖かい空気の吹き出しが行われると、輻射パネルに沿って上昇する空気の流れが生成され、部屋全体に緩やかな循環流が発生する。これにより、特に、暖房運転時の温度分布をより快適なものにすることができる。
【００９７】
（３）
上記の実施形態では、輻射優先運転は、室内温度と設定温度との差が所定値以下となった場合に行われているが、空気調和機１００の起動後に所定時間が経過した場合に輻射優先運転が実行されてもよい。
【００９８】
また、輻射優先運転と対流優先運転との切換のタイミングは、新有効温度（ＳＥＴ*値）やＰＭＶ値などの快適指数によって判断されてもよい。
【００９９】
（４）
上記の実施形態では、輻射パネル２２は、支持フレーム２８と、天井面ＣＬに設けられた断熱シート２９と共に内部空間ＩＳを構成しているが、輻射パネル２２が袋状に形成されて輻射パネル２２のみによって内部空間ＩＳが構成されてもよい。
【０１００】
（５）
上記の実施形態では、温度調整ユニット２０は輻射パネル２２の上方の天井裏に配置されているが、温度調整ユニット２０が配置される場所はこれに限られるものではなく、輻射パネル２２の側方に配置されたり、輻射パネル２２から離れた位置に配置されダクトによって空気が輻射パネル２２の内部空間ＩＳに送られてもよい。
【０１０１】
（６）
上記の実施形態では、サーキュレーション運転は、空気調和機１００の起動後に所定時間が経過した時に行われ、その後、定期的に行われているが、吸込空気温度センサ４５が検知した吸込空気温度が所定値以上となった場合にサーキュレーション運転が行われてもよい。吸込空気温度を検知することにより天井面ＣＬ近傍の空気の温度を検知することができるため、暖かい空気が室内上部に滞留した状態を検知することができ、暖房運転時の温度分布の偏りの発生を精度よく検知することができる。
【０１０２】
なお、上記の条件のいずれかが満たされた時にサーキュレーション運転が行われればよく、また、上記の条件が同時に満たされた時にサーキュレーション運転が行われてもよい。
【０１０３】
また、サーキュレーション運転は、吸込空気温度が所定値以下になった場合に停止されてもよく、サーキュレーション運転の開始後、所定時間が経過し且つ吸込空気温度が所定値以下になった場合に停止されてもよい。
【０１０４】
（７）
上記の空気調和機１００は、冷房運転および暖房運転において、輻射型室内機２による空気調和と、対流型室内機３による空気調和とを同時に併用可能であってもよい。この場合、制御部４は第１送風機２３と第２送風機３３との出力を調整することによって、各室内機２，３の出力の割合を調整することができる。
【産業上の利用可能性】
【０１０５】
本発明は、ドラフトによる不快感を抑えることができ、且つ、室内の温度を迅速に所望の温度に到達させることができる効果を有し、空気調和機として有用である。
【図面の簡単な説明】
【０１０６】
【図１】空気調和機の冷媒回路図。
【図２】輻射型室内機および対流型室内機を示す概略図。
【図３】輻射型室内機の側面断面図。
【図４】対流型室内機の側面断面図。
【図５】空気調和機の制御ブロック図。
【図６】他の実施形態にかかる輻射型室内機および対流型室内機を示す概略図。
【図７】他の実施形態にかかる輻射型室内機および対流型室内機を示す概略図。
【符号の説明】
【０１０７】
２，６    輻射型室内機
３，５    対流型室内機
４        制御部
１０      圧縮機
１１      四路切換弁（切換機構）
１３      室外熱交換器
１４      電動膨張弁（膨張弁）
２１      第１室内熱交換器（第１熱交換器）
２２      輻射パネル（輻射部）
２３      第１送風機
３１      第２室内熱交換器（第２熱交換器）
３３      第２送風機
３５      吹出口（吹出部）
４１      室内温度センサ
４４      リモコン装置（設定部、指示装置）
４５      吸込空気温度センサ（天井面温度センサ）
１００    空気調和機
ＩＳ      内部空間
ＲＳ      室内
【図１】
0004696742.tif 000002
【図２】
0004696742.tif 000003
【図３】
0004696742.tif 000004
【図４】
0004696742.tif 000005
【図５】
0004696742.tif 000006
【図６】
0004696742.tif 000007
【図７】
0004696742.tif 000008